(57)【要約】      （修正有）【課題】液滴吐出ヘッドの走査方向に交差する方向に線画像を描画する場合であっても、画質劣化の抑制される液滴吐出装置を提供する。【解決手段】液滴吐出装置によれば、記録媒体上に異なる方向に延伸された複数種類の線画像が形成対象の線画像である場合であっても、各線画像の延伸方向と主走査方向Ｘとが同一となるように調整した後に、液滴吐出ヘッド１４の主走査方向Ｘへの移動によって該線画像を形成する。このため、形成対象の各線画像の全てについて、液滴吐出ヘッド１４の主走査方向Ｘの移動に伴う液滴の吐出により線画像形成が行われることとなる。【選択図】図５
2010036488.tif 000002
【特許請求の範囲】
【請求項１】
液滴を吐出する液滴吐出手段と、
記録部材が載せられる第１の部材と、
前記液滴吐出手段及び前記第１の部材の少なくとも一方を他方に対して予め定められた走査方向に相対的に移動させる移動手段と、
前記液滴吐出手段及び前記第１の部材の少なくとも一方を、互いに対向する方向を回転軸として回転させる回転手段と、
形成対象の線画像が前記第１の部材上に載せられた前記記録部材に形成されたときの延伸方向と、前記走査方向と、が一致するように前記回転手段を制御した後に、前記走査方向に移動しながら液滴を吐出するように前記液滴吐出手段及び前記移動手段を制御することによって該線画像を形成する制御手段と、
を備えた液滴吐出装置。
【請求項２】
前記液滴吐出手段は、複数の液滴吐出口を備え、前記制御手段は、形成対象の同一の線画像が、該複数の液滴吐出口の内の同一の液滴吐出口から吐出される液滴により形成されるように、前記液滴吐出手段及び前記回転手段を制御する請求項１に記載の液滴吐出装置。
【請求項３】
前記制御手段は、前記線画像の形成後または前記延伸方向と前記走査方向とが一致するように前記回転手段を制御する前に、前記液滴吐出手段及び前記第１の部材が、前記回転角度が０°となる位置として予め定められた基準位置に位置されるように、前記回転手段を制御する請求項１または請求項２に記載の液滴吐出装置。
【請求項４】
前記記録部材に記録された記録画像を読み取る読取手段を備え、
前記制御手段は、前記読取手段による読取結果に基づいて、前記記録画像に重ねて形成する対象となる積層画像が該記録画像の予め定められた位置に重ねて形成されるように、該積層画像を構成する各ドットの形成される位置及び大きさの少なくとも一方を補正した補正画像データを作成した後に、該補正画像データの補正画像を前記記録画像上に形成するように前記液滴吐出手段及び前記回転手段を制御する請求項１〜請求項３の何れか１項に記載の液滴吐出装置。
【発明の詳細な説明】
【技術分野】
【０００１】
本発明は液滴吐出装置に関する。
【背景技術】
【０００２】
従来から、液滴を吐出することによってインク画像や配線回路等の描画を行う技術が知られている。一例として、有機エレクトロニクスの分野では、印刷プロセスによって電気デバイスを製造しようとする際に、液滴吐出によって描画としての配線回路を形成する方法が用いられている（例えば、特許文献１参照）。
【０００３】
液滴吐出によって画像を形成する装置において、描画対象の画像を記録媒体上に形成する場合には、液滴を吐出する液滴吐出ヘッドの液滴吐出口から液滴を吐出させながら、該液滴吐出ヘッドまたは記録媒体を相対的に走査方向に移動させることで、該走査方向の描画を行った後に、該走査方向に交差する方向に記録媒体または液滴吐出ヘッドを所定距離移動させ、再度液滴吐出ヘッドまたは記録媒体を相対的に該走査方向に移動させながら液滴吐出を行う、という一連のサイクルを繰り返すことで、記録媒体の全面に渡って画像が形成されている。
【０００４】
具体的には、図１３（Ａ）に示すように、記録媒体Ｐに対して液滴吐出ヘッドを走査方向Ｘに向かって移動させることで図１３（Ｂ）に示すように、複数のドット６５１〜ドット６５ｎからなる線画像６５を形成した後に、記録媒体Ｐを走査方向Ｘに直交する方向Ｙに移動させる。そして、再度記録媒体Ｐに対して液滴吐出ヘッドを走査方向Ｘに向かって移動させることで図１３（Ｂ）に示すように、複数のドット６６１〜ドット６６ｎからなる線画像６６を形成した後に、記録媒体Ｐを走査方向Ｘに直交する方向Ｙへ移動させる、という一連のサイクルが繰り返されることで、記録媒体Ｐの全面に渡って線画像等の画像が形成されている。
【特許文献１】特開２００６−２５３４８２号公報
【発明の開示】
【発明が解決しようとする課題】
【０００５】
本発明は、液滴吐出ヘッドの走査方向に交差する方向に線画像を描画する場合であっても、画質劣化の抑制される液滴吐出装置を提供することを抑制することを目的とする。
【課題を解決するための手段】
【０００６】
上記課題は、以下の手段により解決される。即ち、
請求項１に係る発明は、
液滴を吐出する液滴吐出手段と、
前記液滴の吐出される記録部材が載せられる第１の部材と、
前記液滴吐出手段及び前記第１の部材の少なくとも一方を他方に対して予め定められた走査方向に相対的に移動させる移動手段と、
前記液滴吐出手段及び前記第１の部材の少なくとも一方を、互いに対向する方向を回転軸として回転させる回転手段と、
形成対象の線画像が前記第１の部材上に載せられた前記記録部材に形成されたときの延伸方向と、前記走査方向と、が一致するように前記回転手段を制御した後に、前記走査方向に移動しながら液滴を吐出するように前記液滴吐出手段及び前記移動手段を制御することによって該線画像を形成する制御手段と、
を備えた液滴吐出装置である。
【０００７】
請求項２に係る発明は、前記液滴吐出手段は、複数の液滴吐出口を備え、前記制御手段は、形成対象の同一の線画像が、該複数の液滴吐出口の内の同一の液滴吐出口から吐出される液滴により形成されるように、前記液滴吐出手段及び前記回転手段を制御する請求項１に記載の液滴吐出装置である。
【０００８】
請求項３に係る発明は、前記制御手段は、前記線画像の形成後または前記延伸方向と前記走査方向とが一致するように前記回転手段を制御する前に、前記液滴吐出手段及び前記第１の部材が、前記回転角度が０°となる位置として予め定められた基準位置に位置されるように、前記回転手段を制御する請求項１または請求項２に記載の液滴吐出装置である。
【０００９】
請求項４に係る発明は、
前記記録部材に記録された記録画像を読み取る読取手段を備え、
前記制御手段は、前記読取手段による読取結果に基づいて、前記記録画像に重ねて形成する対象となる積層画像が該記録画像の予め定められた位置に重ねて形成されるように、該積層画像を構成する各ドットの形成される位置及び大きさの少なくとも一方を補正した補正画像データを作成した後に、該補正画像データの補正画像を前記記録画像上に形成するように前記液滴吐出手段及び前記回転手段を制御する請求項１〜請求項３の何れか１項に記載の液滴吐出装置である。
【発明の効果】
【００１０】
請求項１に係る発明によれば、液滴吐出ヘッドの走査方向に交差する方向に線画像を描画する場合であっても、画質劣化が抑制されるという効果を奏する。
【００１１】
請求項２に係る発明によれば、本構成を有しない場合に比して、更なる画質向上が実現される。
【００１２】
請求項３に係る発明によれば、本構成を有しない場合に比べて、形成対象の線画像の記録媒体上に形成される位置及び方向の精度向上が図れる、という効果を奏する。
【００１３】
請求項４に係る発明によれば、複数の画像を積層させて形成する場合であっても、画質劣化が抑制されると共に精度良く複数画像の位置合わせ精度が向上される、という効果を奏する。
【発明を実施するための最良の形態】
【００１４】
以下、図面を参照して本発明の一の実施の形態について詳細に説明する。
【００１５】
（第１の実施の形態）
図１及び図２に示すように、本実施の形態に係る液滴吐出装置１０には、図示を省略する筐体に設けられたロッド１６、及びこのロッド１６に沿って移動するキャリッジ１２が設けられている。キャリッジ１２には、液滴を吐出するための液滴吐出ヘッド１４が着脱可能に搭載されている。
なお、本実施の形態では、液滴吐出ヘッド１４には、液滴を吐出するための液滴吐出口（図示省略）が１つのみ設けられているとして説明するが、このような形態に限られず、複数設けられた形態であっても良い。
【００１６】
このキャリッジ１２には、キャリッジ１２をロッド１６に沿って移動させるためのキャリッジ走査モータ２２（図２参照）が設けられている。このキャリッジ走査モータ２２は、後述するドライバ４４を介して制御部２０に信号授受可能に接続されており、制御部２０の制御によって駆動される。制御部２０の制御によって、このキャリッジ１２がロッド１６に沿って移動されながら液滴吐出ヘッド１４から液滴が吐出されることで、主走査方向Ｘへの記録が行なわれる。
【００１７】
なお、本実施の形態において、「主走査方向Ｘ」とは、液滴吐出ヘッド１４の設けられたキャリッジ１２がロッド１６に沿って移動する方向、すなわち、ロッド１６の延伸方向を示すものとする（図１及び図２中、矢印Ｘに対応する）。この主走査方向は、本発明の液滴吐出装置における「走査方向」に相当する。
【００１８】
さらに、液滴吐出装置１０には、液滴を吐出されることで描画の形成される記録媒体Ｐを載せるためのプラテン１８が設けられている。このプラテン１８には、液滴を吐出される対象の記録媒体Ｐが図示を省略する搬送ローラ等によって搬送されて載せられる。このプラテン１８上に載せられた状態の記録媒体Ｐに対して、液滴吐出ヘッド１４による液滴吐出が行われて描画が形成される。描画の形成された記録媒体Ｐは、図示を省略する搬送ローラによってプラテン１８上から液滴吐出装置１０の外部へと排出される。
【００１９】
このプラテン１８には、プラテン１８上に載せられた記録媒体Ｐを、上記主走査方向Ｘ（ロッド１６の延伸方向）に交差する方向（以下、副走査方向Ｙと称する（図１中、矢印Ｙ方向）参照）に搬送する搬送ローラ２４及び搬送ローラ２５が設けられている。搬送ローラ２４及び搬送ローラ２５は、これらのローラを駆動するための媒体搬送モータ２６に接続されている。この媒体搬送モータ２６は、後述するドライバ４６を介して制御部２０に信号授受可能に接続されており、制御部２０の制御によって媒体搬送モータ２６が駆動されることで、この駆動力が搬送ローラ２４及び搬送ローラ２５に伝達される。媒体搬送モータ２６による駆動力が伝達されることで、これらの搬送ローラ２４及び搬送ローラ２５は回転駆動し、これらの回転駆動によって、プラテン１８上に置載された記録媒体Ｐは、プラテン１８上を副走査方向Ｙに搬送される。
【００２０】
さらに、本実施の形態の液滴吐出装置１０には、液滴吐出ヘッド１４の液滴吐出面とプラテン１８との対向方向を回転軸として該プラテン１８を回転させるための回転駆動部３０が設けられている。図２に示すように、この回転駆動部３０は、プラテン１８の中央部に設けられた支軸２８を介してプラテン１８に固定化されており、回転駆動部３０による回転駆動力が支軸２８を介してプラテン１８に伝わることで、プラテン１８が該支軸２８（回転軸）を中心にして回転される（図１及び図２中、矢印Ｚ方向に回転）。
【００２１】
なお、本実施の形態では、この副走査方向Ｙと、プラテン１８の長尺方向（図１中、矢印Ｒ方向、以下、長尺方向Ｒと称する）と、が一致した状態、すなわち、プラテン１８の長尺方向Ｒと主走査方向Ｘとが直交した状態にあるときを、プラテン１８の回転角度がゼロ点調整された基準位置にあるとして説明する。
【００２２】
なお、本実施の形態の液滴吐出装置１０が本発明の液滴吐出装置に相当し、液滴吐出ヘッド１４が、液滴吐出手段に相当し、プラテン１８が第１の部材に相当する。また、キャリッジ走査モータ２２が本発明の液滴吐出装置の移動手段に相当し、回転駆動部３０が回転手段に相当する。また、制御部２０が、本発明の液滴吐出装置の制御手段に相当する。
【００２３】
図３に示すように、液滴吐出装置１０には、ＣＰＵ３２、ＲＯＭ３４、ＲＡＭ３６、及び周囲装置を備えた制御部２０が設けられている。制御部２０は、ＣＰＵ３２、ＲＯＭ３４、ＲＡＭ３６、及び入出力インターフェース（入出力Ｉ／Ｆ）３８がバス４９で接続されて構成されている。入出力Ｉ／Ｆ３８では、他の装置から画像データ等の各種データやコマンドの入力や、液滴吐出装置１０に設けられている各機器への指示信号の出力が行われる。
【００２４】
詳細には、この入出力Ｉ／Ｆ３８には、媒体搬送モータ２６を駆動するドライバ４６、キャリッジ走査モータ２２を駆動するドライバ４４、及び回転駆動部３０を駆動するドライバ４８が信号授受可能に接続されている。このため、制御部２０の指示に応じて、回転駆動部３０、媒体搬送モータ２６、キャリッジ走査モータ２２、及び液滴吐出ヘッド１４等が制御される。
【００２５】
本実施の形態の液滴吐出装置１０は、インク滴と吐出してインク画像を形成するインクジェット記録装置や、液滴として電子デバイスに適用される材料を吐出することで配線回路を描画するインクジェット方式を用いた記録装置等に好適に適用される。このため、画像形成対象の記録媒体Ｐは、記録用紙等の紙媒体に限られず、電子デバイスに用いられる基板などを用いても良く、適宜選択される。
【００２６】
次に、液滴吐出装置１０のＣＰＵ３２で実行される処理を説明する。
なお、ＲＯＭ３４には、予め図４に示す処理ルーチンを実行するための処理プログラムが予め記憶されているものとする。
【００２７】
また、本実施の形態の液滴吐出装置１０では、説明を簡略化するために複数方向に延伸された線画像からなる画像を記録媒体Ｐに形成するものとして説明する。また、この複数方向に延伸された線画像からなる画像の画像データは、予めＲＡＭ３６に記憶されているとして説明するが、入出力Ｉ／Ｆ３８を介して、有線または無線通信回線により外部装置から入力された画像データをＲＡＭ３６に記憶し、この画像データを画像形成に用いても良いことは言うまでもない。
【００２８】
ＣＰＵ３２では、液滴吐出装置１０の図示を省略する指示ボタンがユーザによって入力されることで画像形成指示を示す信号が入力されると、ＲＯＭ３４に記憶されている処理プログラムを読み取ることで、図４に示す処理ルーチンを実行する。
【００２９】
ステップ１００では、ＲＡＭ３６に記憶されている複数の線画像からなる画像の画像データを、形成対象の画像の画像データとして読取る。
【００３０】
次のステップ１０２では、上記ステップ１００で読み取った画像データに含まれる線画像の線画像情報毎に、各線画像がプラテン１８上に載せられる記録媒体Ｐ上に形成されたときの延伸方向と、各線画像の記録媒体Ｐ上の位置と、を導出する。この導出方法としては、例えば、上記ステップ１００で読み取った画像データを解析することにより行ってもよいが、どのような方法であってもよい。なお、本実施の形態では、説明を簡略化するために、プラテン１８上に載せられる記録媒体Ｐは、記録媒体Ｐの長尺方向と、プラテン１８の長尺方向Ｒと、が一致するようにプラテン１８上に載せられるものとし、これを条件として各線画像の延伸方向を導出するものする。
【００３１】
なお、本実施の形態において、「線画像」とは、同一方向に延伸された線からなる画像を示すものとして説明する。このため、例えば、途中の一箇所で折れ曲がって延伸方向が変化する折れ線は、延伸方向変化前の直線部分と、延伸方向変化後の直線部分と、の２つの線画像であるものとして取り扱う。
また、本実施の形態において、「線画像情報」には、各線画像を形成する複数のドットの各々について、ドットの数、各ドットの大きさ、各ドットの記録媒体Ｐ上の位置、等の情報が含まれているものとする。
【００３２】
次のステップ１０４では、上記ステップ１０２で位置及び方向を導出した線画像毎に、該ステップ１０２で導出した延伸方向と、キャリッジ１２の主走査方向Ｘ（図１及び図２中、矢印Ｘ方向参照）と、を一致させるために必要な、プラテン１８の基準位置からの回転角度を算出する。そして、次のステップ１０６では、上記ステップ１０４で算出した回転角度を示す回転角度情報を、対応する各線画像を示す線画像情報に対応づけてＲＡＭ３６に記憶する。
【００３３】
なお、本実施の形態では、上述したように、プラテン１８の長尺方向Ｒ（記録媒体Ｐの長尺方向と同一）と主走査方向Ｘとが直交した状態にあるときを、プラテン１８の回転角度が０°の基準位置にあるとし、この基準位置からの回転角度を算出する場合を説明するが、プラテン１８について支軸２８を回転軸として回転させたときの任意の位置を基準位置として予め定めておいて、この任意の位置を基準として回転角度を算出しても良く、このような形態に限られない。
【００３４】
この基準位置からの回転角度の算出によって、例えば、プラテン１８が基準位置に位置された状態にあるときに、該プラテン１８上に長尺方向がプラテン１８の長尺方向Ｒと一致するように載せられた記録媒体Ｐ上に形成されたときに、主走査方向Ｘに延伸された線となるような形成対象の線画像については、回転角度として０°を示す情報が算出される。また、プラテン１８が基準位置に位置された状態にあるときに、該プラテン１８上に長尺方向がプラテン１８の長尺方向Ｒと一致するように載せられた記録媒体Ｐ上に形成されたときに、走査方向Ｘに対して直交する方向に延伸された線となるような形成対象の線画像については、回転角度として９０°を示す情報が算出される。
【００３５】
次のステップ１１０では、プラテン１８の回転位置が基準位置となるように調整することを指示する基準位置調整指示信号を回転駆動部３０へ出力する。
基準位置調整指示信号を受け付けた回転駆動部３０では、プラテン１８の回転角度を０°、すなわち、プラテン１８の長尺方向Ｒと、副走査方向Ｙと、が一致した状態となるように、プラテン１８を回転する。これによって、プラテン１８は、基準位置に位置された状態となる。
この基準位置調整の方法としては、例えば、プラテン１８の回転角度が０°となった事を検出するためのセンサ２７（図２、図３参照）を回転駆動部３０に信号授受可能に予め接続し、このセンサ２７からの信号入力に基づいて判断すればよい。このセンサ２７としては、例えば、プラテン１８の板面方向端部等に予め識別マークを付与しておくと共に、該識別マークを検出可能で且つプラテン１８の回転角度が０°となったときにのみ該識別マークが検出される位置に、該識別マークを検出するセンサ２７を予め設置すればよい。
【００３６】
次のステップ１１２では、上記ステップ１０６でＲＡＭ３６に記憶した、形成対象の各線画像の線画像情報の中から、未形成の線画像の線画像情報及び、該線画像情報に対応する回転角度情報を読み取る。
この未形成の線画像の判別は、ＲＡＭ３６に記憶されている線画像情報の中から、画像形成済を示す形成済情報が対応づけて記憶されていない線画像情報を検索することにより可能である。
【００３７】
次のステップ１１４では、上記ステップ１１２で読み取った回転角度情報と、該回転角度情報の回転角度の基準位置からの回転を指示する回転指示信号と、を回転駆動部３０へ出力する。
回転指示信号を受け付けた回転駆動部３０では、基準位置からの回転角度が、回転指示信号に含まれる回転角度情報の回転角度となるように、プラテン１８を回転する。
【００３８】
この回転駆動部３０による回転角度の制御は、例えば、回転駆動部３０内に、前回停止された状態からの回転角度を示す角度センサを設け、この角度センサによる検出結果が上記回転指示信号に含まれる回転角度情報の回転角度の回転を検知したときに、該回転角度の回転終了を示す回転済信号を回転駆動部３０へ出力するようにし、この出力を検知することで行えばよい。
【００３９】
次のステップ１１６では、回転駆動部３０から回転動作終了を示す信号が入力されるまで否定判断を繰り返し、肯定されると、ステップ１１７へ進む。ステップ１１６の判断は、例えば、回転駆動部３０による回転駆動が終了したときに、回転駆動部３０からＣＰＵ３２へ回転駆動終了を示す信号を出力するようにし、この信号の入力を判別することによって、回転動作終了を判別すればよい。
【００４０】
次のステップ１１７では、上記ステップ１１２で読み取った未形成の線画像の線画像情報に基づいて、上記ステップ１１４の処理によって、形成対象の線画像の延伸方向と主走査方向Ｘが一致するように所定角度回転された状態におけるプラテン１８上に載せられている記録媒体Ｐ上における、該線画像の副走査方向Ｙ一端部の位置が、液滴吐出ヘッド１４によって液滴の吐出される位置に到るように、記録媒体Ｐを副走査方向Ｙへ搬送することを示す初期搬送指示信号を媒体搬送モータ２６へ出力する。
【００４１】
ステップ１１７の処理によって、初期搬送指示信号を受け付けた媒体搬送モータ２６は、該信号に応じた位置までプラテン１８上の記録媒体Ｐを副走査方向Ｙへ搬送する。
【００４２】
次のステップ１１８では、上記ステップ１１２で読み取った未形成の線画像情報の線画像形成指示を示す線画像形成指示信号を、キャリッジ走査モータ２２、及び液滴吐出ヘッド１４へ出力する。この線画像形成指示信号には、線画像情報（線画像を形成する複数のドットの各々について、ドットの数、各ドットの大きさ、各ドットの記録媒体Ｐ上の位置、等の情報が含む）、及び画像形成指示を示す情報が含まれている。
【００４３】
この線画像形成指示信号を受け付けたキャリッジ走査モータ２２は、予め定められた速度でキャリッジ１２をロッド１６に沿って移動させる。
また、この線画像の形成指示信号を受け付けた液滴吐出ヘッド１４では、図示を省略する駆動制御部の制御によって、キャリッジ１２の移動速度、及び線画像形成指示信号に基づいて、線画像を構成する各ドットを構成するための液滴を、該線画像形成指示信号に含まれるドットの大きさに応じた吐出量で、各ドットの位置に対応する記録媒体Ｐ上の領域へ、キャリッジ１２の移動に伴って吐出する。このように、液滴吐出ヘッド１４の主走査方向Ｘの移動により、記録媒体Ｐ上に線画像が形成される。
【００４４】
次のステップ１２０では、上記ステップ１１８の指示による線画像の形成が終了するまで否定判断を繰り返し、肯定されるとステップ１２２へ進む。ステップ１２０の判断は、例えば、１つの線画像の形成が終了したときに、液滴吐出ヘッド１４の図示を省略する駆動制御部から線画像形成終了信号が出力されるようにし、この線画像形成終了信号を判別することによって１つの線画像形成終了を判別すればよい。なお、キャリッジ走査モータ２２のロッド１６の一端部から他端部までの移動が終了したことを示す信号を出力するようにし、この信号の入力を判別することによって、１つの線画像形成終了を判別してもよい。
【００４５】
次のステップ１２１では、上記ステップ１１８の指示によって形成された線画像の線画像情報に対応づけて、画像形成済を示す形成済情報を対応づけて記憶する。
【００４６】
次のステップ１２２では、ＲＡＭ３６に記憶されている１または複数の線画像情報の全てについて、画像形成済を示す形成済情報が対応づけて記憶されているか否かを判別し、形成済情報が対応づけられていない線画像情報がある場合には、否定判断されて、上記ステップ１１０へ戻る。
【００４７】
一方、上記ステップ１２２で肯定されて、全線画像が形成済である場合には、ステップ１２６へ進み、上記ステップ１１０と同様に、プラテン１８の回転角度についてゼロ点調整指示を示すゼロ点調整指示信号を回転駆動部３０へ出力する。
ゼロ点調整指示信号を受け付けた回転駆動部３０では、プラテン１８の回転角度を０°、すなわち、プラテン１８の長尺方向Ｒと、副走査方向Ｙと、が一致した状態となるように、プラテン１８を回転する。これによって、プラテン１８は、基準位置に位置された状態となる。
【００４８】
次のステップ１２８では、線画像の形成された記録媒体Ｐを、プラテン１８上から排出すると共に図示を省略する記録媒体Ｐ貯留部へ排出することを示す排出指示信号を、媒体搬送モータ２６及び図示を省略する搬送ローラの駆動部へ吐出力した後に、本ルーチンを終了する。
【００４９】
媒体搬送モータ２６及び搬送ローラ（図示省略）は、排出指示信号を受け付けると、プラテン１８上に載せられていた記録媒体Ｐを、図示を省略する記録媒体Ｐ貯留部へと排出する。
【００５０】
上記ステップ１００〜ステップ１２８の処理が実行されることによって、例えば、図５（Ａ）に示すように、プラテン１８上に長尺方向がプラテン１８の長尺方向Ｒ（図５参照）と一致するように載せられた記録媒体Ｐに、該プラテン１８の長尺方向Ｒに直交する方向（すなわち、主走査方向Ｘに一致する方向）に延伸する形成対象の線画像７０Ａ（延伸方向Ｑ）と、該プラテン１８の長尺方向Ｒに延伸する形成対象の線画像７２Ｂ（延伸方向Ｓ）と、を含む画像を形成する場合には、下記のような描画が行われる。
【００５１】
具体的には、上記ステップ１００〜ステップ１２８の処理が実行されることによって、図５（Ａ）に示すように、主走査方向Ｘに一致する方向に延伸（延伸方向Ｑ）した状態にある形成対象の線画像７０Ａについては、プラテン１８の回転角度を０°としてプラテン１８の回転がなされない状態のままで、キャリッジ１２のロッド１６に沿った主走査方向Ｘへの移動と共に液滴吐出ヘッド１４から形成対象の線画像７０Ａを構成する各ドットに応じた量の液滴が連続して吐出されることで、図５（Ｂ）に示すように、形成対象の線画像７０Ａに対応する線画像７０Ｂが形成される。
【００５２】
そして、図５（Ａ）及び図５（Ｂ）の状態において、プラテン１８の長尺方向Ｒに延伸（延伸方向Ｓ）する形成対象の線画像７２Ｂ、すなわち、主走査方向Ｘに対して直交する方向に延伸（延伸方向Ｓ）した状態にある形成対象の線画像７２Ａについては、プラテン１８が９０°回転されることで（図５（Ｃ）参照）、形成対象の線画像７２Ａの延伸方向Ｓと主走査方向Ｘとが一致した状態とされた後に、キャリッジ１２のロッド１６に沿った主走査方向Ｘへの移動と共に液滴吐出ヘッド１４から形成対象の線画像７２Ａを構成する各ドットに応じた量の液滴が連続して吐出されることで、図５（Ｄ）に示すように、形成対象の線画像７２Ａに対応する線画像７２Ｂが形成される。
【００５３】
以上説明したように、本実施の形態の液滴吐出装置１０によれば、記録媒体Ｐ上に異なる方向に延伸された複数種類の線画像が形成対象の線画像である場合であっても、各線画像の延伸方向と主走査方向Ｘとが同一となるように調整した後に、液滴吐出ヘッド１４の主走査方向Ｘへの移動によって該線画像を形成する。このため、形成対象の各線画像の全てについて、液滴吐出ヘッド１４の主走査方向Ｘの移動に伴う液滴の吐出により線画像形成が行われることとなる。
【００５４】
このため、主走査方向Ｘへのドット形成が終了した後に副走査方向Ｙへの記録媒体Ｐの移動が行われ、更に主走査方向Ｘへのドット形成が行われるという一連のサイクルが繰り返されることで画像形成が行われる従来の方式では、得られなかった画質向上が実現される。具体的には、従来方式では、図６（Ｂ）に示すように、同一方向に延伸された線画像７４及び線画像７６でありながら、線画像７４を形成するためのドット７４１が形成された後に主走査方向Ｘに隣接する線画像７６を形成するためのドット７６１が形成され、副走査方向Ｙへの記録媒体Ｐの移動が行われた後にドット７４１に副走査方向Ｙに隣接するドット７４２が形成され、次に該ドット７４２に隣接するドット７６２が形成される、という一連のサイクルが繰り返されることで、副走査方法Ｙに延伸された線画像７４及び線画像７６の各々が形成されていた。
このため、同一の線画像を形成するドットでありながら、隣接するドット間、例えば、ドット７４１とドット７４２との液滴が吐出されてからの経過時間が本実施形態に比べて長くなり、結果的に不均一な画像が形成される場合があった。
【００５５】
一方、本実施の形態の液滴吐出装置１０によれば、図６（Ａ）に示すように、形成対象の各線画像の全てについて、液滴吐出ヘッド１４の主走査方向Ｘの移動に伴う液滴の吐出により線画像形成が行われるため、例えば、線画像７８を形成する各ドット７８１〜７８ｎは、液滴吐出ヘッド１４の主走査方向Ｘの移動に伴う液滴の連続吐出により形成されることとなり、同一線画像を構成している隣り合うドット間の乾燥時間の差が従来方式に比べて短くなる。このため、画質劣化が抑制される。
【００５６】
なお、本実施の形態では、説明を簡略化するために、液滴吐出ヘッド１４に設けられている液滴吐出口は１つである場合を説明したが、複数設けられた構成であってもよい。
この場合には、例えば、液滴吐出口を副走査方向Ｙに複数配列させた構成とすればよい。このような構成とすれば、液滴吐出ヘッド１４の一回の主走査方向Ｘの移動によって、液滴吐出口の数に応じた複数の線画像が一度に形成される。
【００５７】
また、この場合には、同一の線画像を形成するドットについては、同一の液滴吐出口から液滴を吐出させるように、液滴吐出ヘッド１４に対するドット形成対象領域の箇所を調整すればよい。この調整は、例えば、同一のノズルによって同一の線画像が形成されるように、液滴吐出口に対する記録媒体Ｐの副走査方向Ｙの位置を、媒体搬送モータ２６をＣＰＵ３２によって駆動制御すればよい。
【００５８】
また、本実施の形態では、液滴吐出ヘッド１４をキャリッジ１２に装着し、このキャリッジ１２をロッド１６に沿って移動させることで液滴吐出ヘッド１４を主走査方向Ｘへ移動させる場合を説明したが、液滴吐出ヘッド１４とプラテン１８とが相対的に主走査方向Ｘに移動すればよく、このような形態に限られない。
【００５９】
例えば、液滴吐出ヘッド１４を固定し、上記各種機構に加えて更にプラテン１８を主走査方向Ｘへ移動する移動機構を設けて、上記液滴吐出ヘッド１４の主走査方向Ｘへの移動に変えてプラテン１８を主走査方向Ｘへ移動させるようにしてもよい。また、液滴吐出ヘッド１４及びプラテン１８の双方を、主走査方向Ｘに相対的に移動可能に構成してもよい。
【００６０】
また、本実施の形態では、プラテン１８に回転駆動部３０を設けることで、形成対象の線画像の延伸方向と、主走査方向Ｘと、が一致するように、プラテン１８を回転させる場合を説明したが、液滴吐出ヘッド１４とプラテン１８との対向方向を回転軸として少なくとも一方を回転可能に構成すればよく、このような形態に限られない。例えば、ロッド１６を該対向方向を回転軸として回転可能に構成するとともに該ロッド１６を回転駆動する駆動部を設けて制御部２０に信号授受可能に接続する。そして、このロッド１６及びプラテン１８の何れか一方または双方を該対向方向を回転軸として回転させることで、形成対象の線画像の延伸方向と、主走査方向Ｘと、が一致するように調整してもよい。
【００６１】
（第２の実施の形態）
本実施の形態では、上記第１の実施の形態で説明した液滴吐出装置１０の構成に、さらにスキャナ機能（画像読取機能）を設けた構成とした場合を説明する。
なお、本実施の形態で説明する液滴吐出装置１１は、第１の実施の形態で説明した液滴吐出装置１０の装置各部と略同一であるため、同一部分には同一符号を付与して、説明を省略する。
【００６２】
図７及び図８に示すように、本実施の形態に係る液滴吐出装置１１には、第１の実施の形態で説明した液滴吐出装置１０の構成に、更に、スキャナ部８０が設けられた構成とされている。具体的には、ロッド１６、キャリッジ１２、液滴吐出ヘッド１４、キャリッジ走査モータ２２、プラテン１８、搬送ローラ２４、搬送ローラ２５、媒体搬送モータ２６、支軸２８、及び回転駆動部３０が設けられている。そして更に液滴吐出装置１１には、スキャナ部８０が設けられている。
【００６３】
なお、本実施の形態の液滴吐出装置１１は本発明の液滴吐出装置に相当し、液滴吐出ヘッド１４が、液滴吐出手段に相当し、プラテン１８が第１の部材に相当する。また、キャリッジ走査モータ２２が本発明の液滴吐出装置の移動手段に相当し、回転駆動部３０が回転手段に相当する。また、後述する制御部２１が、本発明の液滴吐出装置の制御手段に相当し、スキャナ部８０が読取り手段に相当する。
【００６４】
図９に示すように、液滴吐出装置１１には、ＣＰＵ３３、ＲＯＭ３４、ＲＡＭ３６、及び周囲装置を備えた制御部２１が設けられている。制御部２１は、ＣＰＵ３３、ＲＯＭ３４、ＲＡＭ３６、及び入出力インターフェース（入出力Ｉ／Ｆ）３８がバス４９で接続されて構成されている。入出力Ｉ／Ｆ３８では、他の装置から画像データ等の各種データやコマンドの入力や、液滴吐出装置１１に設けられている各機器への指示信号の出力が行われる。
【００６５】
詳細には、この入出力Ｉ／Ｆ３８には、媒体搬送モータ２６を駆動するドライバ４６、キャリッジ走査モータ２２を駆動するドライバ４４、及び回転駆動部３０を駆動するドライバ４８が信号授受可能に接続されている。さらに、この入出力Ｉ／Ｆ３８には、スキャナ部８０が信号授受可能に接続されている。このため、制御部２１（詳細にはＣＰＵ３３）の指示に応じて、回転駆動部３０、媒体搬送モータ２６、キャリッジ走査モータ２２、液滴吐出ヘッド１４、及びスキャナ部８０等が制御される。
【００６６】
スキャナ部８０は、本実施の形態では、記録媒体Ｐに次に形成する対象となる画像が形成される前に、該記録媒体Ｐ上に形成されている記録画像を読取可能な位置に設けられていれば、どのような場所に設けられていても良い。本実施の形態では、例えば、図７に示すように、液滴吐出装置１１のプラテン１８に記録媒体Ｐが供給される搬送経路上の、該プラテン１８より上流側に設けられた構成である場合を説明するが、液滴吐出装置１１の筐体（図示省略）の外部に別体として設けられた構成であってもよいし、プラテン１８上に載せられた状態の記録媒体Ｐ上の画像を読取り可能な位置に設けられていてもよい。
【００６７】
このスキャナ部８０は、記録媒体Ｐ上に形成された記録画像を、図示を省略する撮像素子であるＣＣＤセンサで読取り、このＣＣＤセンサの出力信号をＡ／Ｄ変換器（図示省略）においてＡ／Ｄ変換して得た画像データを、入出力Ｉ／Ｆ３８を介してＣＰＵ３３へ出力する。
【００６８】
本実施の形態の液滴吐出装置１１は、第１の実施の形態と同様に、インク滴と吐出してインク画像を形成するインクジェット記録装置や、液滴として電子デバイスに適用される材料を吐出することで配線回路を描画するインクジェット方式を用いた記録装置等に好適に適用される。そして、これらの装置の中においても、特に、記録媒体Ｐ上に複数の画像を積層して形成する形態において、特に好適に適用される。なお、画像形成対象の記録媒体Ｐとしては、記録用紙等の紙媒体に限られず、電子デバイスに用いられる基板などを用いても良く、適用対象に応じて適宜選択される。
【００６９】
次に、本実施の形態の液滴吐出装置１１のＣＰＵ３３で実行される処理を説明する。
本実施の形態の液滴吐出装置１１のＣＰＵ３３では、下記画像読取補正処理が実行される。なお、ＲＯＭ３４には、図１０に示す処理ルーチンを実行するための画像読取補正処理プログラムが予め記憶されているものとする。詳細を下記に説明する。
【００７０】
また、本実施の形態の液滴吐出装置１１のＲＡＭ３６には、記録媒体Ｐに積層して形成する各層毎の積層画像の積層画像データ、該積層画像データの積層画像が記録媒体Ｐ上の何層目に形成される画像かを示す層数データ、及び互いに隣接する層の積層画像間の一致するべき特徴領域を示す特徴情報が予め記憶されている。この特徴情報としては、例えば、記録媒体Ｐに層状に重ねて形成される各積層画像の全領域の内の、他の層の積層画像が重ねて形成されたときに位置合わせとして用いられる領域を示す情報が用いられる。この特徴情報は、各積層画像の各々について１箇所のみ予め定めても良いし、精度向上の理由から、複数箇所予め定めても良い。そして、これらの情報は、予め定めてＲＡＭ３６に記憶するようにすればよい。
【００７１】
ＣＰＵ３３では、液滴吐出装置１１の図示を省略する指示ボタンがユーザによって入力されることで画像形成指示を示す信号が入力されると、画像読取補正処理プログラムがＲＯＭ６２から読み取られることで、図１０に示す処理ルーチンが実行されてステップ２００へ進む。
【００７２】
ステップ２００では、記録媒体Ｐ上に形成されている記録画像の読取指示を示す画像読取指示信号をスキャナ部８０へ出力する。
画像読取指示信号を受け付けたスキャナ部８０は、記録媒体Ｐ上に形成されている記録画像を読み取り、読み取った記録画像の記録画像データをＣＰＵ３３へ出力する。この記録画像データには、記録画像を構成する各ドットの記録媒体Ｐ上の位置、及び大きさ等の情報が含まれている。
【００７３】
次のステップ２０１では、スキャナ部８０から記録画像データが入力されるまで否定判断を繰り返し、肯定されると、ステップ２０２へ進む。
ステップ２０２では、ステップ２０１で取得した記録画像データを解析し、ＲＡＭ３６に記憶されている特徴情報の特徴領域に一致する特徴領域を該記録画像データから抽出する。
【００７４】
次のステップ２０４では、上記ステップ２０２で抽出した特徴領域に対応する積層画像データをＲＡＭ３６から検索し、該検索した積層画像データの画像の上に次に形成する対象となる積層画像データを読み取る。
ステップ２０４の処理は、例えば、ＲＡＭ３６から形成した、上記ステップ２０２で抽出した特徴領域に対応する積層画像データに対応する層数データの総数を“１”カウントアップした層数データに対応する積層画像データを読み取ることによって可能である。
【００７５】
次のステップ２０６では、上記ステップ２０４で読み取った次に形成する対象となる積層画像データに対応する特徴情報を検索し、上記ステップ２０２で抽出した読取画像データの読取画像中の特徴領域と、該検索した特徴情報の特徴領域と、が記録媒体Ｐ上で重なって形成されるように、該積層画像データを補正した補正画像データを作成する。
【００７６】
この積層画像データの補正処理としては、例えば、積層画像データの積層画像が、先に記録媒体Ｐ上に形成されている記録画像上に、精度良く積層されるべき位置に位置合わせされて形成されるように、積層画像データの積層画像を拡大、縮小、及び変形等の処理の内の少なくとも１つを行う処理が挙げられる。なお、積層されるべき位置に積層されるように、とは、例えば、先に形成されている記録画像の特徴領域の記録媒体Ｐ上の位置及び大きさと、該記録画像上に次に積層される積層画像の特徴領域の記録媒体Ｐ上の位置及び大きさと、が一致するように積層されることを意味している。
【００７７】
例えば、拡大処理を行う場合には、該特徴領域が一致するように、積層画像データの積層画像を構成する各ドットの大きさ及び位置を変更することで、補正画像データが作成される。
【００７８】
次のステップ２０８では、上記ステップ２０６で作成した補正画像データをＲＡＭ３６に記憶する。
【００７９】
次のステップ２１０では、画像形成処理が実行された後に、本ルーチンを終了する。ステップ２１０における画像形成処理は、上記第１の実施の形態において説明した図４に示すステップ１００〜ステップ１２８の処理と同じであるため、詳細な説明を省略する。異なる点は、上記第１の実施の形態においては、ステップ１００において、読み取り対象の画像の画像データが、上記ステップ２０６で作成した補正画像データである点である。
【００８０】
ステップ２００〜ステップ２１０の処理が実行されることによって、記録媒体Ｐ上に複数の画像を積層させて構成する場合に、記録媒体Ｐに先に形成されている画像を読取り、読み取った画像に重ねて形成する画像の位置ずれを補正した補正画像データの補正画像が、記録媒体Ｐ上に形成されている画像上に重ねて形成される。そして、画像形成時には、第１の実施の形態で説明したように、形成対象の線画像の延伸方向が主走査方向Ｘと一致するようにプラテン１８が回転された後に、液滴吐出ヘッド１４の該主走査方向Ｘの移動に伴う液滴吐出によって線画像が形成される。
【００８１】
このため、本実施の形態の液滴吐出装置１１によれば、記録媒体Ｐとして、多層配線基板に用いられる基板を用い、この基板上に複数の配線層を画像として順次積層させて形成する場合等であっても、画質劣化が抑制されると共に、制度良く画像が積層して形成される。
【００８２】
すなわち、本実施の形態の液滴吐出装置１１は、特に、複数の配線層を順次積層させて多層配線基板を形成する場合等に好適に適用される。
具体的には、まず、多層配線基板を形成する場合には、図１１（Ａ）に示すように、記録媒体Ｐとしては、変形の少ない材料からなる基板９０が用いられる。
この基板９０としては、例えば、ポリエチレンテレフタラート、ポリエチレンナフタレート、ポリイミド樹脂、及びステンレス板などが挙げられるが、これらに限られない。
【００８３】
そして、図１１（Ｂ）に示すように、この記録媒体Ｐとしての基板９０上に上記第１の実施の形態における図４に示す処理ルーチンが実行されることで配線画像９２が形成されたとする。多層配線基板の製造工程においては、配線画像が形成される度に、熱処理が行われる事が多く、この場合、図１１（Ｃ）に示すように、基板９０に収縮や変形等による歪みが生じる場合があり、この基板９０の歪みに伴って基板９０上に形成されている配線画像９２も変形する場合がある。
【００８４】
しかし、本実施の形態の液滴吐出装置１１によれば、図１１（Ｄ）に示すように、スキャナ部８０によって配線画像９２を読取り、この配線画像９２上に形成する対象の積層画像の積層画像データを、この積層画像の予め定めた特徴領域と、配線画像９２上の特徴領域と、が一致するように、積層画像を拡大、縮小、または変形するように補正した補正画像データを生成する。そして、この補正画像データの補正画像を、配線画像９２上に形成することによって、配線画像９２上に精度良く配線画像９４が積層して形成される（図１１（Ｅ）参照）。
【００８５】
そして、この配線画像９２及び配線画像９４の形成時には、上記ステップ２０８の処理が行われることから、線画像について画質劣化が抑制されると共に、積層画像の位置合わせ精度の低下も抑制される。
【００８６】
なお、さらに、位置合わせ精度を向上させるために、スキャナ部８０による形成画像の読取り時に、透明（可視光の透過率８０％以上）な基板を用いて基板９０に圧力をかけることで基板９０の歪みを補正した状態で画像を読み取るようにすれば、更に積層画像の位置合わせ精度が向上される。
【００８７】
また、さらに、スキャナ部８０による形成画像の読取り時には、該形成画像に積層させて画像を形成するときと同じ環境が実現されるように、温度調整した同一環境下で読取り及び画像書込を行うことが望ましい。このようすれば、形成画像の読取り時と、積層させてさらに画像を形成するときと、の環境が略同一であることから、基板９０等の歪みが抑制されて、さらなる画質向上が図れる。
【実施例】
【００８８】
以下、実施例を挙げてさらに具体的に説明する。ただし、本発明はこれら実施例に限定されるものではない。以下に挙げる各実施例及び比較例では、ピエゾインクジェット方式の液滴吐出装置（富士ゼロックス社製、研究用社内自作品）に、プラテンを液滴吐出ヘッドとの対向方向を回転軸として回転可能となるように回転するための回転機構を設ける改造を行った。なお、電気的構成図としては、図３に示した構成となるように改造した。
【００８９】
この液滴吐出装置について、更に、上記図４に示す処理ルーチンが実行されるように制御部を改造した。
【００９０】
印字テストは、下記条件下で行った。
・インクジェット記録ヘッドのスキャンスピード：５０ｃｍ／秒
・印字環境：温度：２５±１℃、湿度：４０±２％ＲＨ
・記録媒体：ガラス基板（２６×７０ｍｍ、松浪硝子社製、商品名：スライドグラスＳ１１１）
・インク：銀インク。アルバックマテリアル社製、商品名：Ａｇナノメタルインク。
【００９１】
（実施例１）
評価用テストパターンとして、図１２に示す複数の線画像からなる評価用テストパターンを形成した。パターンを示す画像データは、予めＲＡＭに記憶した。
上記改造した液滴吐出装置に、ノズル数１つの液滴吐出ヘッドを装着し、図４に示す処理ルーチンを実行させることによって、ガラス基板に画像を形成した。この画像としては、Ｌ字状に屈曲された屈曲部を有する直線からなる線図を、所定間隔毎に複数形成した。
【００９２】
形成された画像について、画質評価として、線幅のバラツキ、厚み分布、及び断線状態を評価した。なお、評価方法および評価基準は以下の通りである。
【００９３】
＜線幅のバラツキ＞
線幅のバラツキは、ガラス基板上に形成された複数の線図（Ｌ字状に屈曲された屈曲部を有する直線）の幅を光学顕微鏡で観察しながら、該線図の一端部から他端部に渡って所定間隔毎に１００点について計測し、基板に形成されている複数の線図について得られた計測結果の平均幅に対するバラツキを算出することで得た。測定結果を表１に示した。
【００９４】
＜厚み分布＞
厚み分布は、ガラス基板上に形成された複数の線図（各直線）の厚みを、該線図の一端部から他端部に渡って所定間隔毎に１００点について計測し、基板に形成されている複数の線図について得られた計測結果の平均厚みに対するバラツキを算出することで得た。測定結果を表１に示した。
【００９５】
＜断線＞
断線は、テスター（テクトロニクス社製、商品名：ＤＭＭ１５７）を用いて、必要に応じて複数の線図各々における屈曲部を１つのみ含む領域を、各屈曲部毎に各々切り出して、該Ｌ字状に屈曲された屈曲部を１つ有する直線の一端部と他端部との間に電圧を印加したときの配線抵抗を観察することによって測定した。そして、全ての屈曲部で導通が確認された場合を断線「なし」とし、断線している場合には、屈曲部の数に対する断線箇所の割合を断線率として示した。なお、この断線箇所は、抵抗が無限大となる事を確認することによって得た。結果を表１に示した。
【００９６】
（実施例２）
評価用テストパターンとして、図１２に示す複数の線画像からなる評価用テストパターンを形成した。パターンを示す画像データは、予めＲＡＭに記憶した。
上記改造した液滴吐出装置に、５つのノズルが主走査方向Ｘに直交する方向に等間隔で（２５０μｍ）で配列された液滴吐出ヘッドを用い、５本の線画像を同時に形成した以外は、実施例１と同様にして図１２に示す複数の線画像からなる評価用テストパターンを形成した。形成された画像について、実施例１と同様にして評価を行った。評価結果を表１に示した。
【００９７】
（比較例１）
実施例１で用いた改造機において、プラテンの回転機構を取り外し、改造前の状態に戻した装置を用いて、図１２に示す複数の線画像からなる評価用テストパターンを形成し、実施例１と同様にして評価を行った。評価結果を表１に示した。
【００９８】
（実施例３）
実施例１で用いたガラス基板に変えて、画像の形成された基板（１００μｍ厚５００ｍｍ角のＰＥＮ基板）を用いるとともに、図４に示す処理ルーチンに変えて、図１０に示す処理ルーチンを実行するように制御部を改造し、さらにスキャナを設ける改造を行った以外は、実施例１と同様にして画像を形成し、評価を行った。なお、インクとしては、Ａｇメタルインク（アルバックマテリアル社製、商品名：Ａｇナノメタルインク）を用い、各層の画像形成が終了する度に、乾燥機を用いて１５０℃で６０分間の焼成を行った。
【００９９】
なお、該基板（１００μ厚５０ｍｍ角のＰＥＮ基板）としては、予め１０分間プラズマ処理で洗浄したものを用い、この基板に、上記改造装置を用いて図１４に示される、線図９１で示される配線パターンが予め形成されたものを用いた。すなわち、図１４に示すように、同一方向に延びる１０本の直線が等間隔を開けて配列された線図９１Ａと、線図９１Ｂと、が間隔を開けて設けられた線図９１で示される配線パターンをまず形成した。
【０１００】
そして、この線図９１を形成した後に形成する配線パターン（すなわち、発明の詳細な説明では積層させる積層画像に相当する）を示す積層画像データとしての配線パターンデータや、特徴領域（図１０のステップ２０２参照）を示す情報を予めＲＡＭに記憶した。なお、この線図９１を形成した後に形成する配線パターンは、図１５に示すように、線図９１Ａを構成する同一方向に延びる１０本の直線の一端部と、線図９１Ｂを構成する同一方向に延びる１０本の直線の一端部と、に連続されるように設けられた２箇所の屈曲点を有する１０本の直線からなる配線パターン９２とした。この配線パターン９２を示す積層画像データとしての配線パターンデータを、予めＲＡＭに記憶した。
【０１０１】
そして、上記改造した液滴吐出装置に、ノズル数１つの液滴吐出ヘッドを装着し、図１０に示す処理ルーチンを実行させることによって、ガラス基板に形成されている配線パターン９１に連続されるように、配線パターン９２を形成した。
【０１０２】
形成された画像について、画質評価として、線幅のバラツキ、厚み分布、及び断線状態を実施例１と同様にして評価すると共に、形成された各層の画像間の位置合わせ精度、コンタクト不良率を評価した。なお、評価方法および評価基準は以下の通りである。
【０１０３】
＜位置合わせ精度＞
位置合わせ精度は、基板上に段階的に形成された画像について先に形成されていた画像（配線パターン９１）と次に形成した画像（配線パターン９２）との接合部の位置ずれを、光学顕微鏡により観察し、各接合部間のズレ量のばらつきを算出することで得た。測定結果を表１に示した。
【０１０４】
＜コンタクト不良率＞
コンタクト不良率は、図１５に示されるように、配線パターン９１に配線パターン９２を連続するように形成することで形成された線画像の一端部１２ａと、他端部１２ｂと、の間の導通を確認することにより得た。測定結果を表１に示した。
【０１０５】
（実施例４）
上記実施例３において、図１０に示すステップ２０６及びステップ２０８の処理を行わず（補正画像データの作成及び記憶を行わず）、ステップ２０４で読みとった次に積層する画像の画像データを補正せずに形成した以外は、実施例３と同様にして画像形成及び評価を行った。評価結果を表１に示した。
【０１０６】
【表１】
2010036488.tif 000003
【０１０７】
表１から分かるように、液滴吐出ヘッドの移動する主走査方向と、形成対象の線画像の延伸方向と、が同一となるようにプラテンが回転された後に該線画像の形成を行った実施例１〜４では、全ての線画像について該プラテンの回転を行わずに線画像の形成を行った比較例１に比べて、線幅のバラツキ、膜厚分布、及び断線の全てにおいて少なく、良好な画質の画像が形成されたといえる。
またさらに、複数の画像を積層させた実施例３及び実施例４においては、各層の画像については良好な画像が得られたものの、各層の画像間の位置ずれについては、作成した補正画像データを用いて画像形成を行った実施例３が補正画像データを作成しなかった実施例４に比べて、位置合わせ精度が更に向上された。
【図面の簡単な説明】
【０１０８】
【図１】第１の実施の形態の液滴吐出装置の一の形態を示す概略構成図である。
【図２】第１の実施の形態の液滴吐出装置の一の形態を示す概略構成図である。
【図３】第１の実施の形態の液滴吐出装置の電気的構成を示すブロック図である。
【図４】第１の実施の形態の液滴吐出装置で実行される処理を示すフローチャートである。
【図５】（Ａ）〜（Ｄ）第１の実施の形態の液滴吐出装置において、延伸方向の異なる複数の線画像を形成した場合を示す模式図である。
【図６】（Ａ）は、第１の実施の形態の液滴吐出装置における線画像形成を示す模式図であり、（Ｂ）は、従来方式の液滴吐出装置における線画像形成を示す模式図である。
【図７】第２の実施の形態の液滴吐出装置の一の形態を示す概略構成図である。
【図８】第２の実施の形態の液滴吐出装置の一の形態を示す概略構成図である。
【図９】第２の実施の形態の液滴吐出装置の電気的構成を示すブロック図である。
【図１０】第２の実施の形態の液滴吐出装置で実行される処理を示すフローチャートである。
【図１１】（Ａ）〜（Ｅ）第２の実施の形態の液滴吐出装置において、複数の画像を積層して形成する場合を示す模式図である。
【図１２】実施例において形成した評価用テストパターンを示す模式図である。
【図１３】（Ａ）（Ｂ）従来方式の液滴吐出装置における線画像書込を示す模式図である。
【図１４】実施例３で用いた評価用の配線パターンを示す模式図である。
【図１５】実施例３で用いた評価用の配線パターンを示す模式図である。
【符号の説明】
【０１０９】
１０   液滴吐出装置
１１   液滴吐出装置
１２   キャリッジ
１４   液滴吐出ヘッド
１８   プラテン
２０   制御部
２１   制御部
２２   キャリッジ走査モータ
２４   搬送ローラ
２５   搬送ローラ
２６   媒体搬送モータ
２７   センサ
２８   支軸
３０   回転駆動部
８０   スキャナ部
【図１】
2010036488.tif 000004
【図２】
2010036488.tif 000005
【図３】
2010036488.tif 000006
【図４】
2010036488.tif 000007
【図５】
2010036488.tif 000008
【図６】
2010036488.tif 000009
【図７】
2010036488.tif 000010
【図８】
2010036488.tif 000011
【図９】
2010036488.tif 000012
【図１０】
2010036488.tif 000013
【図１１】
2010036488.tif 000014
【図１２】
2010036488.tif 000015
【図１３】
2010036488.tif 000016
【図１４】
2010036488.tif 000017
【図１５】
2010036488.tif 000018